(57)【要約】      （修正有）【課題】排出された媒体のトレイ内への入り込みをより確実に回避する。【解決手段】媒体排出装置は、媒体を排出する排出手段と、前記排出手段により排出された媒体を受ける、展開状態と収納状態とを切り換え可能な媒体受けトレイ２２と、を備え、媒体受けトレイが、ベーストレイ５６と、展開状態においてベーストレイよりも媒体排出方向側に位置する、収納及び展開可能なメイン展開部５８と、展開状態においてメイン展開部より媒体排出方向側に位置する、収納及び展開可能な少なくとも一つのサブ展開部６０とを備え、ベーストレイには、少なくとも一つのサブ展開部を収納する収納空間７０が形成されているとともに、収納空間に向けて突出する第１突出部６６が設けられている。【選択図】図１４
2018002370.tif 000002
【特許請求の範囲】
【請求項１】
媒体を排出する排出手段と、
前記排出手段により排出された媒体を受ける、展開状態と収納状態とを切り換え可能な媒体受けトレイと、を備え、
前記媒体受けトレイが、ベーストレイと、
展開状態において前記ベーストレイよりも媒体排出方向側に位置する、収納及び展開可能なメイン展開部と、
展開状態において前記メイン展開部より媒体排出方向側に位置する、収納及び展開可能な少なくとも一つのサブ展開部と、を備え、
前記ベーストレイには、少なくとも一つの前記サブ展開部を収納する収納空間が形成されているとともに、前記収納空間に向けて突出する第１突出部が設けられている、
ことを特徴とする媒体排出装置。
【請求項２】
請求項１に記載の媒体排出装置において、前記メイン展開部において前記収納空間に臨む位置には、前記収納空間に突出するとともに、前記媒体受けトレイの厚み方向において前記第１突出部と重なり合う部分を有する第２突出部が設けられ、
前記第１突出部と前記第２突出部との前記重なり合いが、前記メイン展開部の展開位置に拘わらず維持される構成を有する、
ことを特徴とする媒体排出装置。
【請求項３】
請求項２に記載の媒体排出装置において、前記第１突出部及び前記第２突出部のいずれか一方は、媒体排出方向に延設される第１リブで構成され、
前記第１突出部及び前記第２突出部の他方は、媒体排出方向と交差する方向に延設される第２リブで構成される、
ことを特徴とする媒体排出装置。
【請求項４】
請求項３に記載の媒体排出装置において、前記第１リブは、媒体排出方向と交差する方向において適宜の間隔を空けて複数設けられるとともに、複数の前記第１リブにおける最大配置間隔は、前記排出手段による排出が可能な媒体のうち、媒体排出方向と交差する方向である媒体幅方向のサイズが最小の媒体の前記サイズより小さい、
ことを特徴とする媒体排出装置。
【請求項５】
請求項１から請求項４のいずれか一項に記載の媒体排出装置において、前記サブ展開部は、展開状態において最も媒体排出方向側に位置する先端展開部と、
前記先端展開部に対しスライド可能であるとともに、回動することにより媒体受け面と交差する面を形成して媒体の飛び出しを規制する規制姿勢と、前記媒体受け面に沿った姿勢である収納姿勢と、を切り換え可能なストッパー部と、を備えて構成されている、
ことを特徴とする媒体排出装置。
【請求項６】
請求項５に記載の媒体排出装置において、前記先端展開部には、前記ストッパー部のスライド方向に沿って複数の凹部が形成され、
前記ストッパー部には、当該ストッパー部を前記収納姿勢から前記規制姿勢に切り換えた際に前記凹部に入り込む凸部が形成されている、
ことを特徴とする媒体排出装置。
【請求項７】
請求項５または請求項６に記載の媒体排出装置において、前記ストッパー部の姿勢切換を行う切り換え手段と、
前記切り換え手段を制御する制御手段と、を備え、
前記制御手段は、排出する媒体のサイズ情報をもとに、排出する媒体の先端が前記媒体受けトレイへの排出時に前記ストッパー部の位置を越える場合には、前記ストッパー部を前記規制姿勢から媒体排出方向上流側或いは下流側に倒す、
ことを特徴とする媒体排出装置。
【請求項８】
請求項５から請求項７のいずれか一項に記載の媒体排出装置において、前記ベーストレイは、前記媒体排出装置の筐体に対して収納及び展開可能であり、
前記ストッパー部を前記規制姿勢から前記収納姿勢に切り換えることにより、前記ベーストレイ、前記メイン展開部、前記サブ展開部、のこれらを収納状態にロックし、前記ストッパー部を前記収納姿勢から前記規制姿勢に切り換えることにより、前記ロックを解除するロック手段を備える、
ことを特徴とする媒体排出装置。
【請求項９】
媒体の面を読み取る読み取り手段と、
媒体搬送方向において前記読み取り手段の下流側に設けられた、請求項１から請求項８のいずれか一項に記載の媒体排出装置と、
を備えた画像読取装置。
【発明の詳細な説明】
【技術分野】
【０００１】
本発明は、媒体を排出する媒体排出装置、及び当該媒体排出装置を備えた画像読取装置に関する。
【背景技術】
【０００２】
画像読取装置の一例であるスキャナーには、媒体としての原稿の自動送り装置（ＡＤＦ（Ａｕｔｏ  Ｄｏｃｕｍｅｎｔ  Ｆｅｅｄｅｒ）とも呼ばれる）が設けられ、複数枚の原稿の自動送りと読み込みとを行える様に構成されるものがある。送られた複数枚の原稿は、前記自動送り装置の搬送方向下流側に設けられる画像読取部において読み取られる。
【０００３】
このようなスキャナーでは、前記画像読取部の下流側に排出ローラー対が設けられ、原稿が装置外部に排出されるとともに、排出された複数の原稿を受ける排紙受けトレイ（排紙スタッカーなどと呼ばれることもある）に排出順に積重されるように構成された媒体排出装置を備える場合がある（例えば特許文献１参照）。
【先行技術文献】
【特許文献】
【０００４】
【特許文献１】特開２０１０−６２８３９号公報
【発明の概要】
【発明が解決しようとする課題】
【０００５】
また、排紙受けトレイには、収納状態と展開状態とを切り換え可能に構成されたものが知られている。例えば、多段式の排紙受けトレイでは、基端側のトレイ（ベーストレイ）に、自由端側のトレイ（サブトレイ）が収納されており、使用時にはベーストレイからサブトレイを引き出し、媒体受け面を展開した状態で使用する。
【０００６】
しかしながらベーストレイにはサブトレイを収納する収納空間が形成されており、サブトレイをベーストレイから引き出した状態では、前記収納空間、或いは更に前記収納空間より奥側に、排出された媒体が入り込む虞がある。特に、排出された媒体がカードサイズなどの小型のものでは、前記入り込みの問題が生じ易い。更に、媒体受け面は自由端側に向かって上向き傾斜となっている場合があり、この様な上向き傾斜面に小型サイズの媒体が排出されると、排出された媒体がベーストレイ側に戻り、前記入り込みの問題が生じ易い。また更に、排紙受けトレイの先端に媒体の飛び出しを防止するストッパーを備える場合には、排出された媒体が前記ストッパーに当接し、跳ね返ることで、前記入り込みの問題が生じ易い。
【０００７】
そこで本発明はこの様な問題に鑑み成されたものであり、その目的は、排出された媒体のトレイ内への入り込みをより確実に回避することにある。
【課題を解決するための手段】
【０００８】
上記課題を解決する為の、本発明の第１の態様に係る媒体排出装置は、媒体を排出する排出手段と、前記排出手段により排出された媒体を受ける、展開状態と収納状態とを切り換え可能な媒体受けトレイと、を備え、前記媒体受けトレイが、ベーストレイと、展開状態において前記ベーストレイよりも媒体排出方向側に位置する、収納及び展開可能なメイン展開部と、展開状態において前記メイン展開部より媒体排出方向側に位置する、収納及び展開可能な少なくとも一つのサブ展開部と、を備え、前記ベーストレイには、少なくとも一つの前記サブ展開部を収納する収納空間が形成されているとともに、前記収納空間に向けて突出する第１突出部が設けられていることを特徴とする。
【０００９】
本態様によれば、展開状態と収納状態とを切り換え可能な媒体受けトレイは、ベーストレイと、メイン展開部と、サブ展開部と、を備えており、ベーストレイには、少なくとも一つのサブ展開部を収納する収納空間が形成されているため、前記サブ展開部が展開されると、排出された媒体が前記収納空間、或いは更に前記収納空間より奥側に入り込む虞がある。しかしながら本態様においては、前記ベーストレイにおいて前記収納空間には、前記収納空間に向けて突出する第１突出部が設けられているので、当該第１突出部により、前記収納空間、或いは更に前記収納空間より奥側への媒体の入り込みが規制される。
【００１０】
本発明の第２の態様は、第１の態様において、前記メイン展開部において前記収納空間に臨む位置には、前記収納空間に突出するとともに、前記媒体受けトレイの厚み方向において前記第１突出部と重なり合う部分を有する第２突出部が設けられ、前記第１突出部と前記第２突出部との前記重なり合いが、前記メイン展開部の展開位置に拘わらず維持される構成を有することを特徴とする。
【００１１】
本態様によれば、前記メイン展開部において前記収納空間に臨む位置には、前記収納空間に突出するとともに、前記媒体受けトレイの厚み方向において前記第１突出部と重なり合う部分を有する第２突出部が設けられ、前記第１突出部と前記第２突出部との前記重なり合いが、前記メイン展開部の展開位置に拘わらず維持される構成を有するので、前記メイン展開部を全展開した状態のみならず、半展開した状態であっても、前記収納空間、或いは更に前記収納空間より奥側への媒体の入り込みを規制できる。以上により、前記収納空間、或いは更に前記収納空間より奥側への媒体の入り込みをより確実に回避することのできる媒体排出装置を提供することができる。
【００１２】
本発明の第３の態様は、第２の態様において、前記第１突出部及び前記第２突出部のいずれか一方は、媒体排出方向に延設される第１リブで構成され、前記第１突出部及び前記第２突出部の他方は、媒体排出方向と交差する方向に延設される第２リブで構成されることを特徴とする。
【００１３】
本態様によれば、前記第１突出部及び前記第２突出部のいずれか一方は、媒体排出方向に延設される第１リブで構成され、前記第１突出部及び前記第２突出部の他方は、媒体排出方向と交差する方向に延設される第２リブで構成されるので、より確実に、前記収納空間、或いは更に前記収納空間より奥側への媒体の入り込みを抑制できる。
【００１４】
本発明の第４の態様は、第３の態様において、前記第１リブは、媒体排出方向と交差する方向において適宜の間隔を空けて複数設けられるとともに、複数の前記第１リブにおける最大配置間隔は、前記排出手段による排出が可能な媒体のうち、媒体排出方向と交差する方向である媒体幅方向のサイズが最小の媒体の前記サイズより小さいことを特徴とする。
【００１５】
本態様によれば、前記第１リブは、媒体排出方向と交差する方向において適宜の間隔を空けて複数設けられるとともに、複数の前記第１リブにおける最大配置間隔は、前記記録手段による記録及び前記排出手段による排出が可能な媒体のうち、媒体排出方向と交差する方向である媒体幅方向のサイズが最小の媒体の前記サイズより小さいので、媒体のサイズに拘わらず、前記収納空間、或いは更に前記収納空間より奥側への媒体の入り込みを良好に規制できる。
【００１６】
本発明の第５の態様は、第１から第４の態様のいずれかにおいて、前記サブ展開部は、展開状態において最も媒体排出方向側に位置する先端展開部と、前記先端展開部に対しスライド可能であるとともに、回動することにより媒体受け面と交差する面を形成して媒体の飛び出しを規制する規制姿勢と、前記媒体受け面に沿った姿勢である収納姿勢と、を切り換え可能なストッパー部と、を備えて構成されていることを特徴とする。
【００１７】
本態様によれば、回動することにより媒体受け面と交差する面を形成して媒体の飛び出しを規制する規制姿勢と、前記媒体受け面に沿った姿勢である収納姿勢と、を切り換え可能なストッパー部と、を備えているので、前記ストッパーにより、媒体排出時における、媒体受けトレイからの媒体の飛び出しを抑制できる。
【００１８】
本発明の第６の態様は、第５の態様において、前記先端展開部には、前記ストッパー部のスライド方向に沿って複数の凹部が形成され、前記ストッパー部には、当該ストッパー部を前記収納姿勢から前記規制姿勢に切り換えた際に前記凹部に入り込む凸部が形成されていることを特徴とする。
【００１９】
本態様によれば、前記先端展開部には、前記ストッパー部のスライド方向に沿って複数の凹部が形成され、前記ストッパー部には、当該ストッパー部を前記収納姿勢から前記規制姿勢に切り換えた際に前記凹部に入り込む凸部が形成されているので、前記凹部と前記凸部との係合によって、前記ストッパー部を、所望する位置に確実に保持することができる。特に、排出される媒体が前記ストッパー部を押すことに伴う、当該ストッパー部の位置ずれを抑制できる。
【００２０】
本発明の第７の態様は、第５のまたは第６の態様において、前記ストッパー部の姿勢切換を行う切り換え手段と、前記切り換え手段を制御する制御手段と、を備え、前記制御手段は、排出する媒体のサイズ情報をもとに、排出する媒体の先端が前記媒体受けトレイへの排出時に前記ストッパー部の位置を越える場合には、前記ストッパー部を前記規制姿勢から媒体排出方向上流側或いは下流側に倒すことを特徴とする。
【００２１】
本態様によれば、前記ストッパー部の姿勢切換を行う切り換え手段と、前記切り換え手段を制御する制御手段と、を備え、前記制御手段は、排出する媒体のサイズ情報をもとに、排出する媒体の先端が前記媒体受けトレイへの排出時に前記ストッパー部の位置を越える場合には、前記ストッパー部を前記規制姿勢から媒体排出方向上流側或いは下流側に倒すので、長尺の媒体を排出する際に前記ストッパー部が長尺の媒体の排出を邪魔する問題を回避できる。
【００２２】
本発明の第８の態様は、第５から第７の態様のいずれかにおいて、前記ベーストレイは、前記媒体排出装置の筐体に対して収納及び展開可能であり、前記ストッパー部を前記規制姿勢から前記収納姿勢に切り換えることにより、前記ベーストレイ、前記メイン展開部、前記サブ展開部、のこれらを収納状態にロックし、前記ストッパー部を前記収納姿勢から前記規制姿勢に切り換えることにより、前記ロックを解除するロック手段を備えることを特徴とする。
【００２３】
本態様によれば、前記ベーストレイは、前記媒体排出装置の筐体に対して収納及び展開可能であり、前記ストッパー部を前記規制姿勢から前記収納姿勢に切り換えることにより、前記ベーストレイ、前記メイン展開部、前記サブ展開部、のこれらを収納状態にロックし、前記ストッパー部を前記収納姿勢から前記規制姿勢に切り換えることにより、前記ロックを解除するロック手段を備えるので、例えば装置を持ち運ぶ際に、意図せず前記媒体受けトレイが展開状態となってしまう問題を回避できる。加えて、前記ロック手段の操作は前記ストッパー部が担うので、専用の操作部材を設ける必要がなく、装置のコストアップを抑制できる。
【００２４】
本発明の第９の態様に係る画像読取装置は、媒体の面を読み取る読み取り手段と、媒体搬送方向において前記読み取り手段の下流側に設けられた、第１から第８の態様のいずれかに係る媒体排出装置とを備えたことを特徴とする。  
本態様によれば、画像読取装置において、上述した第１から第８の態様のいずれかと同様な作用効果を得ることができる。
【図面の簡単な説明】
【００２５】
【図１】本発明に係る画像読取装置における媒体の非給送状態の斜視図。
【図２】本発明に係る画像読取装置において、カバーが開き、媒体受けトレイが展開した状態を示す斜視図。
【図３】本発明に係る画像読取装置における媒体給送経路を示す側面図。
【図４】媒体受けトレイのベーストレイの展開状態を示す斜視図。
【図５】媒体受けトレイにおいてベーストレイからメイン展開部を展開させた状態を示す側面図。
【図６】媒体受けトレイにおいてメイン展開部から第１サブ展開部を展開させた状態を示す側面図。
【図７】媒体受けトレイにおいて第１サブ展開部から先端展開部を展開させた状態を示す側面図。
【図８】ベーストレイを下方側から見た斜視図。
【図９】メイン展開部を上方側から見た斜視図。
【図１０】ベーストレイに対してメイン展開部が収納された状態におけるベーストレイ及びメイン展開部の下面図。
【図１１】ベーストレイに対してメイン展開部が収納された状態における第１リブと第２リブとの関係を示す下面図。
【図１２】ベーストレイに対してメイン展開部を収納状態から展開状態に切換える途中の状態におけるベーストレイ及びメイン展開部の下面図。
【図１３】ベーストレイに対してメイン展開部を収納状態から展開状態に切換える途中の状態における第１リブと第２リブとの関係を示す下面図。
【図１４】図１３におけるＡ−Ａ断面における側断面図。
【図１５】ベーストレイに対してメイン展開部及びサブ展開部を展開した状態におけるベーストレイ、メイン展開部、サブ展開部、のこれらの下面図。
【図１６】ベーストレイに対してメイン展開部を展開した状態における第１リブと第２リブとの関係を示す下面図。
【図１７】先端展開部におけるストッパー部の収納姿勢を示す斜視図。
【図１８】先端展開部におけるストッパー部の規制姿勢を示す斜視図。
【図１９】先端展開部においてストッパー部をスライドさせた状態を示す斜視図。
【図２０】先端展開部及びストッパー部の実施例の一の変更例を示す斜視図。
【図２１】ストッパー部の変更例におけるスライダーロック構造を示す側断面図。
【図２２】第２の実施例における媒体受けトレイの概要図。
【図２３】第３の実施例における媒体受けトレイにおいてメイン展開部及びサブ展開部のロック状態を示す側断面図。
【図２４】第３の実施例における媒体受けトレイにおいてメイン展開部及びサブ展開部のロック解除状態を示す側断面図。
【図２５】画像読取装置における画像読取部を示す斜視図。
【図２６】排出駆動ローラーの断面図。
【発明を実施するための形態】
【００２６】
以下、本発明の実施の形態を図面に基づいて説明する。尚、各実施例において同一の構成については、同一の符号を付し、最初の実施例においてのみ説明し、以後の実施例においてはその構成の説明を省略する。
【００２７】
図１は本発明に係る画像読取装置における媒体の非給送状態の斜視図であり、図２は本発明に係る画像読取装置において、カバーが開き、媒体受けトレイが展開した状態を示す斜視図であり、図３は本発明に係る画像読取装置における媒体給送経路を示す側面図であり、図４は媒体受けトレイのベーストレイの展開状態を示す斜視図であり、図５は媒体受けトレイにおいてベーストレイからメイン展開部を展開させた状態を示す側面図であり、図６は媒体受けトレイにおいてメイン展開部から第１サブ展開部を展開させた状態を示す側面図である。
【００２８】
図７は媒体受けトレイにおいて第１サブ展開部から先端展開部を展開させた状態を示す側面図であり、図８はベーストレイを下方側から見た斜視図であり、図９はメイン展開部を上方側から見た斜視図であり、図１０はベーストレイに対してメイン展開部が収納された状態におけるベーストレイ及びメイン展開部の下面図であり、図１１はベーストレイに対してメイン展開部が収納された状態における第１リブと第２リブとの関係を示す下面図であり、図１２はベーストレイに対してメイン展開部を収納状態から展開状態に切換える途中の状態におけるベーストレイ及びメイン展開部の下面図である。
【００２９】
図１３はベーストレイに対してメイン展開部を収納状態から展開状態に切換える途中の状態における第１リブと第２リブとの関係を示す下面図であり、図１４は図１３におけるＡ−Ａ断面における側断面図であり、図１５はベーストレイに対してメイン展開部及びサブ展開部を展開した状態におけるベーストレイ、メイン展開部、サブ展開部、のこれらの下面図であり、図１６はベーストレイに対してメイン展開部を展開した状態における第１リブと第２リブとの関係を示す下面図であり、図１７は先端展開部におけるストッパー部の収納姿勢を示す斜視図であり、図１８は先端展開部におけるストッパー部の規制姿勢を示す斜視図であり、図１９は先端展開部においてストッパー部をスライドさせた状態を示す斜視図である。
【００３０】
図２０は先端展開部及びストッパー部の実施例の一の変更例を示す斜視図であり、図２１はストッパー部の変更例におけるスライダーロック構造を示す側断面図であり、図２２は第２の実施例における媒体受けトレイの概要図であり、図２３は第３の実施例における媒体受けトレイにおいてメイン展開部及びサブ展開部のロック状態を示す側断面図であり、図２４は第３の実施例における媒体受けトレイにおいてメイン展開部及びサブ展開部のロック解除状態を示す側断面図であり、図２５は画像読取装置における画像読取部を示す斜視図であり、図２６は排出駆動ローラーの断面図である。
【００３１】
また、各図において示すＸ−Ｙ−Ｚ座標系はＸ方向が装置幅方向であるとともに用紙幅方向、Ｙ方向が画像読取装置における媒体搬送方向、Ｚ方向がＹ方向と直交する方向であり、概ね搬送される媒体の面と直交する方向を示している。尚、各図において−Ｙ方向側を装置前面側とし、＋Ｙ方向側を装置背面側とする。
【００３２】
■■■第１の実施例■■■■
＜＜＜画像読取装置について＞＞＞
図１及び図２を参照するに、「画像読取装置」としてのスキャナー１０は、下部ユニット１２と、上部ユニット１４と、カバー部１６と、媒体排出装置１８とを備えている。媒体排出装置１８は、後述する排出ローラー対２０（図３参照）と、媒体受けトレイ２２（図２参照）とを備えている。尚、下部ユニット１２及び上部ユニット１４の外郭はスキャナー１０の筐体を構成している。
【００３３】
また、下部ユニット１２の背面側の上部には、カバー部１６が下部ユニット１２に対して回動可能に取り付けられている。カバー部１６は、図１に示すように上部ユニット１４の上部及び給送口２６（図２参照）を覆う非給送状態と、図１の非給送状態から図２に示すように装置背面側に回動し、給送口２６を開放する給送可能状態とを取り得る。そして、カバー部１６は、図２に示すように給送可能状態となると、カバー部１６の裏面は、複数の媒体Ｐを載置する媒体載置面１６ａとして機能する。
【００３４】
また、下部ユニット１２の装置前面側には媒体Ｐを排出する排出口２８が設けられている。また、下部ユニット１２は、排出口２８から装置前面側に向けて引き出し可能な媒体受けトレイ２２を備えている。媒体受けトレイ２２は、下部ユニット１２の底部に収納された収納状態（図１参照）と、装置前面側に引き出された展開状態（図２参照）とを切換え可能である。また、後述するが媒体受けトレイ２２は複数のトレイ部材を連結して構成されており、排出される媒体Ｐの長さに応じて、排出口２８からの引き出し長さを調整可能に構成されている。
【００３５】
＜スキャナーにおける用紙給送経路について＞
次に、主として図３を参照して、スキャナー１０における媒体給送経路２４について説明する。尚、図３において下部ユニット１２、上部ユニット１４及び媒体受けトレイ２２は、外郭部分のみを仮想線で示し、符号Ｐが付された太い実線は、スキャナー１０内において媒体給送経路２４に沿って給送される用紙の案内経路を示している。
【００３６】
媒体給送経路２４において、給送方向上流側から下流側に向けて、媒体載置面１６ａ、給送ローラー３０、分離ローラー３２、搬送ローラー対３４、「読み取り手段」としての画像読取部３６、「排出手段」としての排出ローラー対２０及び媒体受けトレイ２２が順に設けられている。媒体Ｐは、媒体給送経路２４に沿って画像読取部３６に給送され、画像読取部３６において少なくとも１つの面を読み取られた後、媒体受けトレイ２２に排出される。
【００３７】
給送ローラー３０は、不図示の駆動源により回転駆動されるように構成されている。給送ローラー３０の外周面は、高摩擦材料（例えば、ゴムなどのエラストマ等）により構成されている。また、給送ローラー３０と対向する位置には分離ローラー３２が設けられている。分離ローラー３２は、不図示の付勢手段によって給送ローラー３０に対して付勢された状態に設けられている。分離ローラー３２の外周面は、給送ローラー３０と同様に高摩擦材料（例えば、ゴムなどのエラストマ等）により構成されている。
【００３８】
また、分離ローラー３２には、トルクリミッタ３８が設けられている。分離ローラー３２は、トルクリミッタ３８を介して、不図示のトルク付与手段或いはモーター等の駆動源から原稿を下流側に送る回転方向（図３において時計回り方向）とは反対方向（図３において反時計回り方向）の駆動トルクを受ける様に構成されている。そして、分離ローラー３２は、給送ローラー３０と直接接触している状態では、給送ローラー３０から受ける回転トルクがトルクリミッタ３８のリミットトルクを超える為、給送ローラー３０に従動して回転する（図３において時計回り方向）。
【００３９】
搬送ローラー対３４は搬送駆動ローラー３４ａと、搬送駆動ローラー３４ａに対して従動回転する搬送従動ローラー３４ｂを備えている。本実施例において、搬送駆動ローラー３４ａは、不図示の駆動源により回転駆動させられるように構成されている。
【００４０】
搬送ローラー対３４の下流側には、画像読取部３６が設けられている。ここで、画像読取部３６は、媒体給送経路２４に沿って搬送される媒体Ｐの上面と対向するように上部ユニット１４に設けられた上部読み取りユニット４０と、媒体給送経路２４に沿って搬送される媒体Ｐの下面と対向するように下部ユニット１２に設けられた下部読み取りユニット４２とを備えている。上部読み取りユニット４０及び下部読み取りユニット４２は読み取りユニットとして構成され、一例として密着型イメージセンサーモジュール（ＣＩＳＭ）として構成されている。
【００４１】
排出ローラー対２０は排出駆動ローラー４４と、排出駆動ローラー４４に対して従動回転する排出従動ローラー４６を備えている。排出駆動ローラー４４は、不図示の駆動源により回転駆動させられる。
【００４２】
ここで、図２５及び図２６を参照するに、排出駆動ローラー４４は装置幅方向に間隔をおいて２つ設けられている。２つの排出駆動ローラー４４は、駆動軸４８とともに回転するように駆動軸４８に軸着されている。また、装置幅方向において、排出駆動ローラー４４の外側には、それぞれ補助ローラー５０が駆動軸４８に軽圧入されている。そして、装置幅方向において排出駆動ローラー４４と補助ローラー５０とは隙間５２を開けて駆動軸４８に取り付けられている。
【００４３】
スキャナー１０において排出ローラー対２０が厚みの薄い媒体を排出した際、媒体Ｐの後端が排出駆動ローラー４４に残った状態となることがある。そして、補助ローラー５０は、厚みの薄い媒体を排出する際、媒体Ｐの後端を排出方向に押し出して、排出駆動ローラー４４から媒体Ｐの後端を確実に離間させることができる。また、補助ローラー５０と排出駆動ローラー４４との間に隙間５２を設けているので、補助ローラー５０が駆動軸４８に対して空転した際、補助ローラー５０が排出駆動ローラー４４と接触して摩耗することを防止できる。
【００４４】
また、下部ユニット１２内には、一例として「制御手段」としての制御部５４が設けられている。制御部５４は、複数の電子部品を備える電気回路として構成されている。制御部５４は、上部読み取りユニット４０、下部読み取りユニット４２を制御している。さらに制御部５４は、給送ローラー３０、搬送駆動ローラー３４ａ及び排出駆動ローラー４４を回転駆動させる駆動モーター等の不図示の駆動源を制御している。
【００４５】
また、制御部５４は、スキャナー１０における媒体Ｐの搬送及び画像読取動作を制御するように構成されている。また、制御部５４は外部（ＰＣなど）からの指示でスキャナー１０における原稿読取動作の実行に必要な動作を制御してもよい。
【００４６】
＜＜＜媒体受けトレイの構成について＞＞＞
図４ないし図２０を参照して、媒体受けトレイ２２の構成について説明する。媒体受けトレイ２２は、図２及び図４ないし図７に示すように、ベーストレイ５６、メイン展開部５８、サブ展開部６０を備えている。サブ展開部６０は、第１サブ展開部６１と、先端展開部６２及びストッパー部６４を備えている。尚、以下の説明では、媒体Ｐの排出方向を装置奥行き方向前方側とし、各部材間のスライド方向を装置奥行き方向とし、媒体Ｐの幅方向を装置幅方向とする。
【００４７】
ベーストレイ５６は、下部ユニット１２に対してスライド可能に構成されており、下部ユニット１２内に収納された収納状態（図１参照）と、下部ユニット１２内から媒体Ｐの排出方向、すなわち装置奥行き方向前面側に展開された展開状態（図４参照）とを切換え可能である。また、メイン展開部５８はベーストレイ５６に対してスライド可能に取り付けられている。そして、メイン展開部５８は、ベーストレイ５６に収納された収納状態（図４参照）と、ベーストレイ５６から媒体Ｐの装置奥行き方向前面側にスライドさせた展開状態（図５参照）とを切換え可能に構成されている。
【００４８】
また、第１サブ展開部６１は、メイン展開部５８に対してスライド可能に取り付けられている。そして、第１サブ展開部６１はメイン展開部５８に収納された収納状態（図４参照）と、メイン展開部５８から媒体Ｐの装置奥行き方向前面側にスライドさせた展開状態（図６参照）とを切換え可能に構成されている。また、先端展開部６２は、第１サブ展開部６１に対してスライド可能に取り付けられている。そして、先端展開部６２は、第１サブ展開部６１に収納された収納状態（図４参照）と、第１サブ展開部６１から媒体Ｐの装置奥行き方向前面側にスライドさせた展開状態（図７参照）とを切換え可能に構成されている。
【００４９】
従って、媒体受けトレイ２２は図１に示すように、ベーストレイ５６、メイン展開部５８、第１サブ展開部６１及び先端展開部６２が下部ユニット１２に収納された状態から、図４ないし図７に示すように媒体Ｐの排出方向にベーストレイ５６、メイン展開部５８、第１サブ展開部６１及び先端展開部６２を順次引き出して下部ユニット１２の装置奥行き方向前面側に展開させた状態（図２参照）とすることができる。
【００５０】
＜＜＜ベーストレイについて＞＞＞
次いで、図４及び図８を参照して、ベーストレイ５６について説明する。ベーストレイ５６は平板状の本体部５６ａと、本体部５６ａの装置幅方向の両端部において装置奥行き方向に延びる一対の側壁部５６ｂとを備えている。本体部５６ａの上面は、排出口２８から排出される媒体Ｐを受けるトレイ面として構成されている。また、本体部５６ａの下面側において装置幅方向中央部分は、上面側に向けて凹んだ凹部５６ｃとして構成されている。そして、凹部５６ｃには、装置高さ方向下方側、メイン展開部５８が取り付けられた状態ではメイン展開部５８側に向けて突出する第１突出部６６が設けられている。
【００５１】
第１突出部６６は、一例として装置奥行き方向に延びる複数の第１リブ６８を備えている。複数の第１リブ６８は装置幅方向に適宜間隔をおいて凹部５６ｃに形成されている。図８において、第１リブ６８は４つのリブ６８ａ、６８ｂ、６８ｃ、６８ｄを備えている。そして、装置幅方向において第１リブ６８ａと第１リブ６８ｂとは間隔Ｌ１をおいて設けられ、第１リブ６８ｂと第１リブ６８ｃとは間隔Ｌ２をおいて設けられ、第１リブ６８ｃと第１リブ６８ｄとは間隔Ｌ１をおいて設けられている。ここで、間隔Ｌ２は間隔Ｌ１よりも大きく設定されている。また、第１リブ６８ａと第１リブ６８ｄとは間隔Ｌ３に設定されている。
【００５２】
そして、凹部５６ｃに設けられた第１リブ６８ｂと第１リブ６８ｃとの装置幅方向における配置間隔Ｌ２（図８参照）は、排出ローラー対２０により排出が可能な媒体Ｐのうち装置幅方向における媒体Ｐの幅サイズが最小の媒体Ｐのサイズよりも小さく設定されている。ここで、装置幅方向における媒体Ｐの幅サイズが最小の媒体Ｐには、一例として名刺やカード等の媒体が含まれている。そして、配置間隔Ｌ２は、一例として、カード状の媒体の短辺よりも小さく設定されている。また、第１リブ６８ａと第１リブ６８ｄとの装置幅方向における配置間隔Ｌ３（図８参照）は、カード状の媒体の長辺よりも小さく設定されている。
【００５３】
尚、一例としてスキャナー１０においてカード状の媒体Ｐの短辺を装置幅方向にあわせて媒体Ｐを搬送して、媒体受けトレイ２２に排出した場合には、配置間隔Ｌ２が第１リブ６８における最大配置間隔となり、カード状の媒体の長辺を装置幅方向にあわせて媒体Ｐを搬送して、媒体受けトレイ２２に排出した場合には、配置間隔Ｌ３が第１リブ６８における最大配置間隔となるように設定されている。
【００５４】
また、側壁部５６ｂには、装置幅方向において内側の面には、内側方向に向かって突出する複数の凸部５６ｄが設けられ、装置幅方向において外側の面には装置奥行き方向に沿って延びる溝部５６ｅが形成されている。溝部５６ｅは、下部ユニット１２に設けられた不図示のガイド部と係合する。これにより、ベーストレイ５６は下部ユニット１２に対してスライド移動可能となる。
【００５５】
＜＜＜メイン展開部について＞＞＞
次いで、図４及び図９を参照して、メイン展開部５８について説明する。メイン展開部５８は、上面側に装置奥行き方向に沿って延びる複数のリブ５８ａが装置幅方向に適宜間隔をおいて設けられている。そして、リブ５８ａは、排出口２８から排出されてきた媒体Ｐの少なくとも一部を装置高さ方向下方側から支持するように構成されている。また、メイン展開部５８において装置幅方向における両端部には、装置奥行き方向に延びる溝部５８ｂが形成されている。
【００５６】
溝部５８ｂは、ベーストレイ５６にメイン展開部５８を取り付けた際、ベーストレイ５６の凸部５６ｄが受け入れられる。そして、凸部５６ｄは、溝部５８ｂ内を装置奥行き方向に相対移動可能であるので、メイン展開部５８をベーストレイ５６に対してスライド移動させることができる。また、ベーストレイ５６にメイン展開部５８を取り付けた状態において、ベーストレイ５６は、メイン展開部５８の少なくとも一部を上方側から覆っている。
【００５７】
また、メイン展開部５８において装置幅方向中央部分は、下方側に向けて凹んだ凹部５８ｃが形成されている。ベーストレイ５６にメイン展開部５８を取り付けた状態においてベーストレイ５６の凹部５６ｃとメイン展開部５８の凹部５８ｃとは装置幅方向において対応する位置に設けられている。そして、凹部５６ｃと凹部５８ｃとが組み合わさることにより矩形の空間を形成される。この空間は、メイン展開部５８に取り付けられた第１サブ展開部６１及び先端展開部６２を収納する収納空間７０（図１４参照）として機能する。
【００５８】
また、メイン展開部５８の装置奥行き方向背面側の端部において装置幅方向中央部分、すなわち収納空間７０を臨む位置には第２突出部７２が設けられている。第２突出部７２は、装置幅方向に沿って延びる複数の第２リブ７４を備えている。第２リブ７４は、装置高さ方向上方側、すなわちベーストレイ５６側に向けて突出している。複数の第２リブ７４は、一例として、装置幅方向に適宜間隔をおいて装置幅方向に沿って一列にリブ７４ａ、７４ｂ、７４ｃの順に配置されている。
【００５９】
第２リブ７４ａと第２リブ７４ｂとの間、第２リブ７４ｂと第２リブ７４ｃとの間にはそれぞれ隙間７６が設けられている。装置幅方向において隙間７６は、ベーストレイ５６に対してメイン展開部５８を装置奥行き方向にスライドさせた際、第１リブ６８ｂ、６８ｃが隙間７６を通り抜けられる大きさに設定されている。また、第２リブ７４ａ、７４ｃの装置幅方向における長さは、第１リブ６８ａと第１リブ６８ｂとの配置間隔Ｌ１及び第１リブ６８ｃと第１リブ６８ｄとの配置間隔Ｌ１より短く設定されている。また、第２リブ７４ｂの装置幅方向における長さは、第１リブ６８ｂと第１リブ６８ｃとの配置間隔Ｌ２より短く設定されている。
【００６０】
ここで、図１４を参照するに、メイン展開部５８をベーストレイ５６に取り付けた状態において、第１リブ６８はベーストレイ５６からメイン展開部５８側に向けて突出しており、第２リブ７４はメイン展開部５８からベーストレイ５６側に向けて突出している。すなわち、第１リブ６８と第２リブ７４とは、媒体受けトレイ２２の厚み方向において重なり合う部分を有している。尚、第１リブ６８と第２リブ７４とは、装置高さ方向における領域Ｗの範囲内で重なり合っている。また、図１４は、媒体受けトレイ２２を模式的に図示したものである。
【００６１】
＜＜＜収納空間における媒体の入り込みの規制について＞＞＞
さらに、図１０ないし図１６を参照して第１リブ６８と第２リブ７４との関係について説明する。尚、図１１、図１３及び図１３においてサブ展開部６０の図示は省略している。図１０及び図１１を参照するに、メイン展開部５８はベーストレイ５６に収納された状態にある。図１１に示すように、第１リブ６８ｂ、６８ｃは、それぞれ、第２リブ７４ａと第２リブ７４ｂとの間及び第２リブ７４ｂと第２リブ７４ｃとの間の隙間７６に入り込んでいる。
【００６２】
そして、第２リブ７４ａ、７４ｃの装置幅方向における長さは、第１リブ６８ａと第１リブ６８ｂとの配置間隔Ｌ１、第１リブ６８ｃと第１リブ６８ｄとの配置間隔Ｌ１より短く設定され、第２リブ７４ｂの装置幅方向における長さは、第１リブ６８ｂと第１リブ６８ｃとの配置間隔Ｌ２より短く設定されているので、ベーストレイ５６に対してメイン展開部５８を装置奥行き方向にスライド移動させても第１リブ６８と第２リブ７４とが干渉しない（図１１、図１３及び図１６参照）。さらに、第１リブ６８及び第２リブ７４において第１リブ６８と第２リブ７４とが相対移動しても、媒体受けトレイ２２の厚み方向における重なり合う部分は維持される。
【００６３】
ここで、図４、図１０及び図１１に示すように、メイン展開部５８がベーストレイ５６に収納され、第１サブ展開部６１及び先端展開部６２もメイン展開部５８に収納された状態において、媒体Ｐが排出口２８から排出されて、ストッパー部６４によりベーストレイ５６側に跳ね返された際、収納空間７０、或いは更に収納空間７０より奥側に、媒体Ｐが入り込む虞がある。しかし、収納空間７０には第１リブ６８と第２リブ７４とが設けられているので、跳ね返された媒体Ｐの、収納空間７０内、或いは更に収納空間７０より奥側への入り込みを抑制できる。
【００６４】
次いで、図１２ないし図１４を参照するに、ベーストレイ５６に対してメイン展開部５８を装置奥行き方向前面側にスライドさせて半展開した状態において、第２リブ７４ａ、７４ｂ、７４ｃは、装置奥行き方向において第１リブ６８ｂ、６８ｃよりも装置奥行き方向前面側に位置している。この状態において、第１サブ展開部６１及び先端展開部６２は収納空間７０より装置奥行き方向前面側に引き出された展開状態にある。
【００６５】
ここで、媒体Ｐが排出口２８から排出されて、ストッパー部６４によりベーストレイ５６側に跳ね返された際、媒体Ｐが装置奥行き方向に傾いた状態となることがある。メイン展開部５８の半展開状態において、ストッパー部６４によりベーストレイ５６側に跳ね返された媒体Ｐが装置奥行き方向に傾いた状態でも、第１リブ６８ａ及び第１リブ６８ｄの少なくとも一方が傾いた媒体Ｐの少なくとも一部と接触して収納空間７０内への媒体Ｐの入り込みを抑制できる。
【００６６】
また、第１リブ６８と第２リブ７４とは媒体受けトレイ２２の厚み方向において重なり合う部分を有しているので、媒体Ｐが装置幅方向において第１リブ６８ａ及と第１リブ６８ｄとの間に入り込んだとしても、装置奥行き方向において第２リブ７４が媒体Ｐの収納空間７０内、或いは更に収納空間７０より奥側への入り込みを規制する。これにより、メイン展開部５８がベーストレイ５６に対して半展開状態においても媒体Ｐの収納空間７０への入り込みを第１突出部６６（第１リブ６８）及び第２突出部７２（第２リブ７４）により規制することができる。
【００６７】
次いで、図１５及び図１６を参照するに、ベーストレイ５６に対してメイン展開部５８を装置奥行き方向前面側にさらにスライドさせて全展開した状態において、第２リブ７４ａ、７４ｂ、７４ｃは、装置奥行き方向において図１３に示す状態よりも前面側に位置している。
【００６８】
メイン展開部５８の全展開状態においても、媒体Ｐが排出口２８から排出されて、ストッパー部６４によりベーストレイ５６側に跳ね返された際、第１リブ６８ａ及び第１リブ６８ｄの少なくとも一方が媒体Ｐの少なくとも一部と接触して収納空間７０内への媒体Ｐの入り込みを抑制できる。
【００６９】
そして、第２リブ７４ａ、７４ｂ、７４ｃは、装置奥行き方向においてさらに前面側に位置していることから、媒体Ｐが装置幅方向において第１リブ６８ａと第１リブ６８ｄとの間に入り込んだとしても、装置奥行き方向において第２リブ７４が媒体Ｐの収納空間７０内、或いは更に収納空間７０より奥側への入り込みをより確実に規制する。
【００７０】
ここで、第１リブ６８と第２リブ７４とが、媒体受けトレイ２２の厚み方向において重なり合う部分を有するとともに、第１リブ６８と第２リブ７４とは装置奥行き方向において互いに干渉せずに相対移動が可能であることから、第１リブ６８と第２リブ７４との重なり合いが、メイン展開部５８のベーストレイ５６に対する展開位置に拘らず維持される。これによりメイン展開部５８の半展開状態、全展開状態のいずれにおいても媒体Ｐの収納空間７０内、或いは更に収納空間７０より奥側への入り込みを規制できる。
【００７１】
＜＜＜ストッパー部について＞＞＞
次いで、図１７ないし図１９を参照して、ストッパー部６４について説明する。ストッパー部６４は、スライダー７８と、ストッパー８０とを備えている。スライダー７８は、先端展開部６２の媒体受け面６２ａに対して装置奥行き方向に沿ってスライド可能に構成されている。
【００７２】
ストッパー部６４は、先端展開部６２に取り付けられている。図１７及び図１８を参照するに、ストッパー８０は、スライダー７８に対して回動可能に取り付けられている。一例として、ストッパー８０は、図１７に示すように媒体受け面６２ａに沿った姿勢である収納姿勢と、媒体受け面６２ａと交差する面を形成して媒体Ｐの飛び出しを規制する規制姿勢とを切換え可能である。
【００７３】
＜＜＜ストッパー部の変更例について＞＞＞
図２０及び図２１を参照して、ストッパー部６４の変更例について説明する。媒体受け面６２ａには、装置奥行き方向に沿って複数の凹部８２が適宜間隔をおいて形成されている。ストッパー８０は、スライダー７８に対して回動軸８４を支点として回動可能に取り付けられている。そして、ストッパー８０において回動軸８４を挟んで反対の側には、複数の凹部８２のいずれか１つと噛合可能な凸部８６が形成されている。
【００７４】
図２１に示すように、ストッパー８０が収納姿勢（図１７参照）から規制姿勢に切り換わると、凸部８６は複数の凹部８２の少なくとも１つと噛合する。これにより、スライダー７８は、媒体受け面６２ａに対してスライドできず、ロック状態となる。したがって、排出口２８から排出されてきた媒体Ｐが勢いよく、ストッパー８０に当たっても、ストッパー部６４は先端展開部６２に対してロックされた状態であるので、ストッパー部６４の位置ずれを抑制できるとともに媒体を受け止めて、確実に媒体受け面６２ａで受けることができる。
【００７５】
一方、規制姿勢を取るストッパー８０を、回動軸８４を支点に媒体受け面６２ａ側に回動させると、凸部８６は媒体受け面６２ａから離間する方向に回動し、凹部８２との噛合状態が解除される。その結果、スライダー７８のロック状態が解除され、媒体受け面６２ａに対して装置奥行き方向にスライド移動が可能となる。
【００７６】
＜＜＜第１の実施例の変更例＞＞＞
第１突出部６６は、装置奥行き方向に延びる複数の第１リブ６８を備え、第２突出部７２は装置幅方向に延びる複数の第２リブ７４を備える構成としたが、この構成に代えて、第１突出部６６は、複数の第２リブ７４を備える構成とし、第２突出部７２は複数の第１リブ６８を備える構成としてもよい。
【００７７】
■■■第２の実施例■■■■
図２２を参照して、媒体排出装置８８の第２の実施例について説明する。尚、図２２は第２の実施例の媒体排出装置８８を模式的に図示したものである。第２実施例の媒体排出装置８８は、排出される媒体Ｐの排出方向における長さに応じてストッパー部９０のストッパー９０ａの収納姿勢と規制姿勢とを切換える点が第１実施例と相違する。尚、図２２において媒体受けトレイ９２は構成を簡略化して２つのトレイ部材で図示しているが、２つ以上のトレイ部材で構成してもよく、第１実施例と同様にベーストレイ５６、メイン展開部５８、第１サブ展開部６１及び先端展開部６２を備える構成であってもよい。
【００７８】
図２２に示すように媒体排出装置８８は、媒体受けトレイ９２と、ストッパー部９０のストッパー９０ａの姿勢を切換える切り換え手段９４とを備えている。
【００７９】
媒体受けトレイ９２は、一例としてトレイ部材９２ａと、トレイ部材９２ｂとから構成されている。トレイ部材９２ａは下部ユニット１２に対してスライド可能に構成され、収納状態と展開状態とが切換え可能である。またトレイ部材９２ｂはトレイ部材９２ａに対してスライド可能に構成され、収納状態と展開状態とが切換え可能である。そして、トレイ部材９２ｂの装置奥行き方向先端側には、ストッパー部９０が取り付けられている。
【００８０】
切り換え手段９４は、一例として下部ユニット１２内に設けられた駆動モーター９６と、駆動プーリー９８と、伝達プーリー１００と、従動プーリー１０２と、駆動ベルト１０４、１０６とを備えている。駆動プーリー９８は駆動モーター９６の駆動軸に取り付けられ、駆動モーター９６により回転駆動させられる。駆動ベルト１０４は、駆動プーリー９８と伝達プーリー１００とに掛け回されている。従動プーリー１０２はストッパー９０ａの回動軸に取り付けられている。駆動ベルト１０６は伝達プーリー１００と従動プーリー１０２とに掛け回されている。
【００８１】
駆動モーター９６を正転方向又は逆転方向に回転させることにより、駆動モーター９６の回転駆動力を駆動プーリー９８、駆動ベルト１０４、伝達プーリー１００及び駆動ベルト１０６を介して従動プーリー１０２に伝達することができ、ストッパー９０ａを規制姿勢から収納姿勢へ、或いは収納姿勢から規制姿勢に切換えることができる。図２２における二点鎖線部はストッパー９０ａの収納状態を示している。尚、図２２では、一例として、ストッパー９０ａを媒体Ｐの排出方向下流側に倒す構成としたが、排出方向上流側に倒す構成としてもよい。
【００８２】
制御部５４は、排出する媒体Ｐのサイズ情報に基づいて、媒体Ｐが媒体受けトレイ９２に排出される際、排出する媒体Ｐの先端がストッパー部９０のストッパー９０ａの位置を越える場合には駆動モーター９６を駆動させて、ストッパー９０ａを規制姿勢から収納姿勢に切換える。これにより、媒体Ｐが排出方向において長尺である場合においてストッパー部９０が媒体Ｐの排出を妨げることを回避できる。尚、排出する媒体Ｐのサイズ情報は、制御部５４に入力されたドライバ情報だけでなく、スキャナー１０内に設けた不図示の媒体検出センサーによる媒体Ｐの検出信号から求めてもよい。
【００８３】
■■■第３の実施例■■■■
次いで、図２３及び図２４を参照して、媒体排出装置１０８の第３の実施例について説明する。尚、図２３及び図２４は第３の実施例の媒体排出装置１０８を模式的に図示したものである。第３の実施例の媒体排出装置１０８は、スキャナー１０に対して媒体受けトレイ１１０を収納状態にロックするロック機構を備えている点で第１実施例と相違する。
【００８４】
ストッパー部１１２は、ストッパー１１４、スライダー１１６、「ロック手段」としてのロックピン１１８及び付勢手段１２０を備えている。ストッパー１１４は回動軸１２２を支点として回動可能にスライダー１１６に取り付けられており、規制姿勢と収納姿勢とを切換え可能である。また、ストッパー１１４には、ロックピン１１８と係合可能な係合部１２４が設けられている。付勢手段１２０は一例として引っ張りばねとして構成されており、一端がスライダー１１６に接続され、他端がロックピン１１８に接続されている。そして、付勢手段１２０は、ロックピン１１８をスライダー１１６側に向けて付勢している。
【００８５】
また、「筐体」としての下部ユニット１２には、ロックピン１１８を受け入れ可能な孔部１２ａが設けられている。
【００８６】
図２２を参照するに、メイン展開部５８及びサブ展開部６０がそれぞれ収納された状態でベーストレイ５６が下部ユニット１２に収納されている。この状態において、ストッパー部１１２のストッパー１１４を収納状態とすると、係合部１２４が付勢手段１２０の付勢力に抗してロックピン１１８を下部ユニット１２側に向けて押圧する。そして、ロックピン１１８はベーストレイ５６、メイン展開部５８及びサブ展開部６０を介して下部ユニット１２の孔部１２ａ内に入り込んだ状態となる。この状態では、ベーストレイ５６、メイン展開部５８及びサブ展開部６０は、ロックピン１１８を介して下部ユニット１２に対してロックされる。このため、スキャナー１０から不用意に媒体受けトレイ１１０が飛び出ることを抑制できる。
【００８７】
次いで図２３を参照するに、収納状態にあるストッパー１１４をスライダー１１６に対して回動させて規制姿勢へと切換える。この回動により、係合部１２４も回動軸１２２を支点に図２３における時計回り方向に回動する。そして、ロックピン１１８は付勢手段１２０の付勢力により、孔部１２ａから抜け出る方向に変位する。その結果、下部ユニット１２に対するベーストレイ５６、メイン展開部５８及びサブ展開部６０のロック状態が解除され、スキャナー１０から媒体受けトレイ１１０を引き出すことが可能となる。
【００８８】
上記説明をまとめると、媒体排出装置１８、８８、１０８は、媒体Ｐを排出する排出ローラー対２０と、排出ローラー対２０により排出された媒体Ｐを受ける、展開状態と収納状態とを切り換え可能な媒体受けトレイ２２、９２、１１０と、を備え、媒体受けトレイ２２、９２、１１０が、ベーストレイ５６と、展開状態においてベーストレイ５６よりも媒体排出方向側である装置奥行き方向前面側に位置する、収納及び展開可能なメイン展開部５８と、展開状態においてメイン展開部５８より媒体排出方向側である装置奥行き方向前面側に位置する、収納及び展開可能な少なくとも一つのサブ展開部６０と、を備え、ベーストレイ５６には、少なくとも一つのサブ展開部６０を収納する収納空間７０が形成されているとともに、収納空間７０に向けて突出する第１突出部６６が設けられている。
【００８９】
上記構成によれば、展開状態と収納状態とを切り換え可能な媒体受けトレイ２２、９２、１１０は、ベーストレイ５６と、メイン展開部５８と、サブ展開部６０と、を備えており、ベーストレイ５６には、少なくとも一つのサブ展開部６０を収納する収納空間７０が形成されているため、サブ展開部６０が展開されると、排出された媒体Ｐが収納空間７０、或いは更に収納空間７０より奥側に入り込む虞がある。しかしながらこの構成においては、ベーストレイ５６において収納空間７０には、収納空間７０に向けて突出する第１突出部６６が設けられているので、第１突出部６６により、収納空間７０、或いは更に収納空間７０より奥側への媒体の入り込みが規制される。
【００９０】
メイン展開部５８において収納空間７０に臨む位置には、収納空間７０に突出するとともに、媒体受けトレイ２２の厚み方向において第１突出部６６と重なり合う部分を有する第２突出部７２が設けられ、第１突出部６６と第２突出部７２との重なり合いが、メイン展開部５８の展開位置に拘わらず維持される構成を有する。この構成によれば、メイン展開部５８を全展開した状態のみならず、半展開した状態であっても、収納空間７０、或いは更に収納空間７０より奥側への媒体Ｐの入り込みを規制できる。以上により、収納空間７０、或いは更に収納空間７０より奥側への媒体Ｐの入り込みをより確実に回避することのできる媒体排出装置１８、８８、１０８を提供することができる。
【００９１】
第１突出部６６及び第２突出部７２のいずれか一方は、媒体排出方向である装置奥行き方向に延設される第１リブ６８で構成され、第１突出部６６及び前記第２突出部７２の他方は、媒体排出方向と交差する方向である装置幅方向に延設される第２リブ７４で構成される。この構成によれば、より確実に、収納空間７０、或いは更に収納空間７０より奥側への媒体Ｐの入り込みを抑制できる。
【００９２】
第１リブ６８は、媒体排出方向と交差する方向である装置幅方向において適宜の間隔を空けて複数設けられるとともに、複数の第１リブ６８における最大配置間隔Ｌ２又はＬ３は、排出ローラー対２０による排出が可能な媒体Ｐのうち、媒体排出方向と交差する方向である媒体幅方向のサイズが最小の媒体のサイズより小さい。この構成によれば、媒体Ｐのサイズに拘わらず、収納空間７０、或いは更に収納空間７０より奥側への媒体Ｐの入り込みを良好に規制できる。
【００９３】
サブ展開部６０は、展開状態において最も媒体排出方向すなわち装置奥行き方向前面側に位置する先端展開部６２と、先端展開部６２に対しスライド可能であるとともに、回動することにより媒体受け面６２ａと交差する面を形成して媒体Ｐの飛び出しを規制する規制姿勢と、媒体受け面６２ａに沿った姿勢である収納姿勢と、を切り換え可能なストッパー部６４、９０、１１２と、を備えて構成されている。この構成によれば、ストッパー８０、９０ａ、１１４により、媒体Ｐの排出時における、媒体受けトレイ２２、９２、１１０からの媒体Ｐの飛び出しを抑制できる。
【００９４】
先端展開部６２には、ストッパー部６４のスライド方向に沿って複数の凹部８２が形成され、ストッパー部６４には、当該ストッパー部６４を収納姿勢から規制姿勢に切り換えた際に凹部８２に入り込む凸部８６が形成されている。この構成によれば、凹部８２と凸部８６との係合によって、ストッパー部６４を、所望する位置に確実に保持することができる。特に、排出される媒体Ｐがストッパー部６４を押すことに伴う、当該ストッパー部６４の位置ずれを抑制できる。
【００９５】
ストッパー部９０の姿勢切換を行う切り換え手段９４と、切り換え手段９４を制御する制御部５４と、を備え、制御部５４は、排出する媒体Ｐのサイズ情報をもとに、排出する媒体Ｐの先端が媒体受けトレイ９２への排出時にストッパー部９０の位置を越える場合には、ストッパー部９０のストッパー９０ａを規制姿勢から媒体排出方向上流側或いは下流側に倒す。この構成によれば、長尺の媒体Ｐを排出する際にストッパー部９０が長尺の媒体の排出を邪魔する問題を回避できる。
【００９６】
ベーストレイ５６は、媒体排出装置１０８の筐体を構成する下部ユニット１２に対して収納及び展開可能であり、ストッパー部１１２を規制姿勢から収納姿勢に切り換えることにより、ベーストレイ５６、メイン展開部５８、サブ展開部６０、のこれらを収納状態にロックし、ストッパー部１１２を収納姿勢から規制姿勢に切り換えることにより、ロックを解除するロックピン１１８を備える。この構成によれば、例えばスキャナー１０を持ち運ぶ際に、意図せず媒体受けトレイ１１０が展開状態となってしまう問題を回避できる。加えて、ロックピン１１８の操作はストッパー部１１２が担うので、専用の操作部材を設ける必要がなく、装置のコストアップを抑制できる。
【００９７】
スキャナー１０は、媒体Ｐの面を読み取る画像読取部３６と、媒体搬送方向において画像読取部３６の下流側に設けられた媒体排出装置１８、８８、１０８とを備えている。
【符号の説明】
【００９８】
１０…スキャナー、１２…下部ユニット、１２ａ…孔部、１４…上部ユニット、１６…カバー部、１６ａ…媒体載置面、１８、８８、１０８…媒体排出装置、２０…排出ローラー対、２２、９２、１１０…媒体受けトレイ、２４…媒体給送経路、２６…給送口、２８…排出口、３０…給送ローラー、３２…分離ローラー、３４…搬送ローラー対、３４ａ…搬送駆動ローラー、３４ｂ…搬送従動ローラー、３６…画像読取部、３８…トルクリミッタ、４０…上部読み取りユニット、４２…下部読み取りユニット、４４…排出駆動ローラー、４６…排出従動ローラー、４８…駆動軸、５０…補助ローラー、５２、７６…隙間、５４…制御部、５６…ベーストレイ、５６ａ…本体部、５６ｂ…側壁部、５６ｃ、８２…凹部、５６ｄ、８６…凸部、５６ｅ…溝部、５８…メイン展開部、５８ａ…リブ、５８ｂ…溝部、５８ｃ…凹部、６０…サブ展開部、６１、第１サブ展開部、６２…先端展開部、６２ａ…媒体受け面、６４、９０、１１２…ストッパー部、６６…第１突出部、６８、６８ａ、６８ｂ、６８ｃ、６８ｄ…第１リブ、７０…収納空間、７２…第２突出部、７４、７４ａ、７４ｂ、７４ｃ…第２リブ、７８、１１６…スライダー、８０、９０ａ、１１４…ストッパー、８４、１２２…回動軸、９２ａ、９２ｂ…トレイ部材、９４…切り換え手段、９６…駆動モーター、９８…駆動プーリー、１００…伝達プーリー、１０２…従動プーリー、１０４、１０６…駆動ベルト、１１８…ロックピン、１２０…付勢手段、１２４…係合部、Ｌ１…配置間隔、Ｌ２…最大配置間隔、Ｐ…媒体、Ｗ…重なり合う領域
【図１】
2018002370.tif 000003
【図２】
2018002370.tif 000004
【図３】
2018002370.tif 000005
【図４】
2018002370.tif 000006
【図５】
2018002370.tif 000007
【図６】
2018002370.tif 000008
【図７】
2018002370.tif 000009
【図８】
2018002370.tif 000010
【図９】
2018002370.tif 000011
【図１０】
2018002370.tif 000012
【図１１】
2018002370.tif 000013
【図１２】
2018002370.tif 000014
【図１３】
2018002370.tif 000015
【図１４】
2018002370.tif 000016
【図１５】
2018002370.tif 000017
【図１６】
2018002370.tif 000018
【図１７】
2018002370.tif 000019
【図１８】
2018002370.tif 000020
【図１９】
2018002370.tif 000021
【図２０】
2018002370.tif 000022
【図２１】
2018002370.tif 000023
【図２２】
2018002370.tif 000024
【図２３】
2018002370.tif 000025
【図２４】
2018002370.tif 000026
【図２５】
2018002370.tif 000027
【図２６】
2018002370.tif 000028